(57)【要約】      （修正有）【課題】ＰＣ柱と鉄骨梁とで形成される複合ラーメン構造において、袖壁と柱梁を簡単かつ合理的な接合方法で接合できるラーメン構造と、ＰＣ柱と袖壁の接合方法とを提供する。【解決手段】袖壁付き柱と梁２とで形成されるラーメン構造であって、袖壁１１と柱１は、それぞれプレキャストコンクリート部材とし、袖壁が上下の梁間の柱の側面に配置され、袖壁の鉛直方向において上下の梁と接合せず、水平方向においてＰＣ鋼材１３を柱に貫通させて配置し、ＰＣ鋼材が緊張定着され袖壁と柱とが一体化される。【選択図】図１
2019078056.tif 000002
【特許請求の範囲】
【請求項１】
袖壁付き柱と梁とで形成されるラーメン構造であって、
前記袖壁と柱は、それぞれプレキャストコンクリート部材とし、袖壁が上下の梁間の柱の側面に配置され、該袖壁の鉛直方向において上下の梁と接合せず、水平方向においてＰＣ鋼材を柱に貫通させて配置し、該ＰＣ鋼材が緊張定着され前記袖壁と柱とが一体化されることを特徴とする袖壁を用いるラーメン構造。
【請求項２】
前記袖壁の平面配置において、柱の２方向側面ともに配置されることを特徴とする請求項１に記載の袖壁を用いるラーメン構造。
【請求項３】
前記梁は、鉄骨造とすることを特徴とする請求項１乃至２に記載の袖壁を用いるラーメン構造。
【請求項４】
袖壁付き柱と梁とで形成されるラーメン構造における袖壁と柱と梁との接合方法であって、
袖壁と柱をそれぞれプレキャストコンクリート部材とし、予めＰＣ鋼材を挿入する用のシースを配置してあるプレキャスト柱部材を地面に仮建てし、ＰＣ鋼材を挿入する用のシースを配置してあるプレキャスト袖壁部材を柱の側面に吊り込んで設置し、シースにＰＣ鋼材を柱に貫通して袖壁に配置し、袖壁と柱との間に設けられている目地にモルタルを注入し硬化させ、ＰＣ鋼材の端部に定着具を取り付けて緊張定着して袖壁を柱に一体化接合し、ＰＣ鋼材とシースとの隙間にグラウトを注入して硬化させるという一連の作業を地組で完成した後に、一体化された袖壁付き柱を吊り上げて、先に構築された柱頭及び梁の上端（トップコンクリート上面）に設置し、袖壁と梁とを接合せず柱同士のみをＰＣ鋼材で連接することを特徴とする袖壁と柱と梁との接合方法。
【請求項５】
前記袖壁の平面配置において、地組で柱の２方向側面ともに袖壁を配置して一体化した状態で吊り上げて設置することを特徴とする袖壁と柱梁との接合方法。
【発明の詳細な説明】
【技術分野】
【０００１】
本発明は、柱と梁とで形成されるラーメン構造において、コンクリート造の柱と鉄骨梁とで形成される複合構造として、プレキャストコンクリート柱（以下、ＰＣ柱という）に袖壁を適宜取り付け、該袖壁付きＰＣ柱と鉄骨梁とが柱梁接合部に水平に貫通させたＰＣ鋼材によって一体的に接合されるラーメン構造およびその接合方法に関するものである。
【背景技術】
【０００２】
一般にこの種のＰＣ柱と鉄骨梁とを接合する構造については、従来技術が公知になっている。その公知の従来技術としては、ＰＣ柱と鉄骨梁とからなる建物構造であって、柱梁接合部は現場打ちコンクリートで形成され、端部に定着プレートが設けられた鉄骨梁の端部はＰＣ柱のアゴに載せてあり、前記柱梁接合部に水平に貫通したＰＣ鋼材は前記定着プレートに緊張定着され、これらＰＣ柱と鉄骨梁とが前記柱梁接合部に貫通させた前記ＰＣ鋼材により一体接合させることを特徴とする柱と梁の接合部構造である（特許文献１）。
【０００３】
上記公知の従来技術において、梁を鉄骨梁として軽量化し、ＰＣ柱にアゴを一体的に設けたことにより、大スパン（柱間隔）の広々とした空間が得られると共に、高層又は超高層建物にも適用できる合理的な構造にし、柱梁接合部を現場打ちコンクリートまたはＰＣ柱と一体的に形成し、アゴ付のＰＣ柱と鉄骨梁とからなる構造としＰＣ鋼材で緊張定着して接合したので、巨大地震時でも、鉄骨梁がＰＣ柱から外れて落下することなく安定して接合状態を維持する、というものである。
【０００４】
また、袖壁付き柱に関する技術が複数公知になっている。この公知の第１の従来技術においては、壁付き柱は、柱とその両側に設けられた壁とから構成した一体となった異形断面を有する部材とし、該部材断面において、柱と壁とにそれぞれ下層階から上層階まで連結したＰＣ鋼材を挿通させて配置し、該ＰＣ鋼材に緊張導入力を与えて緊張定着することによりプレストレスを付与した壁付き柱が形成され、前記壁付き柱の断面において、柱幅をｂとし壁の厚さをｔとした時に、柱幅に対する壁の厚さ比を、ｔ／ｂ＝０．３以上とし、前記緊張導入力は、柱に配置されたＰＣ鋼材に与える緊張導入力を該ＰＣ鋼材降伏荷重の８０％までとし、壁に配置されたＰＣ鋼材に与える緊張導入力を該ＰＣ鋼材降伏荷重の４０〜７０％とすることを特徴とする建造物である（特許文献２）。
【０００５】
この公知に係る第１の従来技術は、ＰＣ鋼材を緊張定着することによって、強風や大地震によりＰＣ鋼材に掛かる引張力が増えてくるが、最大引張力でも降伏しない弾性範囲内に納まるように設計することが出来るのであり、それによって柱部および壁部に配置されたＰＣ鋼材に掛かる最大引張力がほぼ同じになり、建造物の破損を防止することができる、というものである。
【０００６】
さらに、袖壁付き柱に関する第２の従来技術においては、上下の梁間の柱に袖壁が設けられ、該袖壁が上下の梁と縁切り状態で、かつ袖壁端部内の全長に耐震補強材が埋設されたことを特徴とする柱構造である（特許文献３）。
【０００７】
この公知に係る第２の従来技術は、建物に過大な荷重が作用した場合であっても、耐震補強材によって袖壁端部の圧縮破壊が防止されるとともに、袖壁が上下の梁と縁切り状態であるため、上下の梁の破壊も防止できる、というものである。
【先行技術文献】
【特許文献】
【０００８】
【特許文献１】特許第５５２１１０５号の特許公報
【特許文献２】特許第４６４７７１４号の特許公報
【特許文献３】特開平１１−３３６２５１号の公開特許公報
【発明の概要】
【発明が解決しようとする課題】
【０００９】
前記特許文献１に示されたＰＣ柱と鉄骨梁とで構成された複合ラーメン構造は、梁を軽量化し、大スパンを飛ばすことができる反面に、プレストレスが導入されたＰＣ梁とＰＣ柱とで形成されたＰＣラーメン構造に比べ、鉄骨梁の剛性が小さいために、地震時に生じる振動が大きくなり、制振ダンパーとして鉄骨プレースを配置する必要があるが、鉄骨プレースは地震による溶接部の破損が多いという報告があった。
【００１０】
この問題点については、前記特許文献２に示されたコンクリート造の袖壁付き柱を上記複合ラーメン構造に適用することによって、鉄骨プレースの代わりに袖壁付きＰＣ柱による制振構造とすることが望まれる。
ところが、地震力はあらゆる方向から建物構造物に作用するから、袖壁の平面配置については、柱の平面（Ｘ、Ｙ）２方向（直交する両側面）に配置することが必要である。しかしながら、特許文献２に示された袖壁付き柱は、柱の両側に袖壁を設けて柱本体と一体的に製作されたものであり、袖壁を柱の平面（Ｘ、Ｙ）２方向側面（直交する両側面）に配置することは、現場打ちとする場合はできるが、プレキャストとする場合は、運搬が困難のため適用できないという問題点を有している。
【００１１】
上記の問題点を解決するために、袖壁と柱本体をそれぞれプレキャストとし、現場で接合して一体化する方法は、特許文献３に示されている。
しかしながら、特許文献３に示された方法は、袖壁に接合溝を設けて、柱の側面からアンカー筋を突設し、アンカー筋にスパイラル状の割裂防止筋を配筋し、これらの鉄筋を接合溝に収容するように袖壁を柱の側面に当接させて、接合溝内に無収縮モルタルを注入して一体化することになっているため、現場作業が煩雑で手間かかるばかりではなく、既存柱の側面からアンカー筋を突設しているため、プレキャスト製の袖壁を上方から建て込むことはできず、梁の長手方向から水平移動して取付するしかないから、現実的に施工は極めて困難である。
さらに、柱の側面から突設させたアンカー筋は袖壁の接合溝に注入されるモルタを介して袖壁と接合するだけで、直接的に袖壁コンクリートに挿通して接合されていないため、柱と袖壁との接合構造は非常に弱いから、地震時に制振ダンパーとする役割は十分に得られないという問題点も有している。
【００１２】
なお、前記特許文献２及特許文献３の袖壁付き柱が適用されている建造物の梁については、コンクリート製であり、鉄骨梁を用いる場合には、袖壁と鉄骨梁との接合方法については言及されていない。
【００１３】
いずれにしても、前記従来技術における袖壁付き柱を使用する建造物においては、袖壁付きＰＣ柱の搬送時の不都合や、後付の袖壁についても作業性の悪さ等による種々の問題点を解決すべき課題を有している。
【００１４】
本発明は、柱と梁とで形成されるラーメン構造の中で、特にＰＣ柱と鉄骨梁とで形成される複合ラーメン構造において、袖壁と柱をそれぞれプレキャストコンクリート部材とし、袖壁と柱梁を簡単かつ合理的な接合方法で接合して、制振ダンパーの役割を兼用する袖壁を用いるラーメン構造と、ＰＣ柱と袖壁の接合方法とを提供することを目的とする。
【課題を解決するための手段】
【００１５】
本発明に係る第１の発明は、前述の従来例の課題を解決する具体的手段として、袖壁付き柱と梁とで形成されるラーメン構造であって、前記袖壁と柱は、それぞれプレキャストコンクリート部材とし、袖壁が上下の梁間の柱の側面に配置され、該袖壁の鉛直方向において上下の梁と接合せず、水平方向においてＰＣ鋼材を柱に貫通させて配置し、該ＰＣ鋼材が緊張定着され前記袖壁と柱とが一体化されることを特徴とする袖壁を用いるラーメン構造を提供するものである。
【００１６】
前記第１の発明において、前記袖壁の平面配置において、柱の２方向側面ともに配置されること；および前記梁は、鉄骨造とすること、を付加的要件として含むものである。
【００１７】
本発明に係る第２の発明は、袖壁付き柱と梁とで形成されるラーメン構造における袖壁と柱と梁との接合方法であって、袖壁と柱をそれぞれプレキャストコンクリート部材とし、予めＰＣ鋼材を挿入する用のシースを配置してあるプレキャスト柱部材を地面に仮建てし、ＰＣ鋼材を挿入する用のシースを配置してあるプレキャスト袖壁部材を柱の側面に吊り込んで設置し、シースにＰＣ鋼材を柱に貫通して袖壁に配置し、袖壁と柱との間に設けられている目地にモルタルを注入し硬化させ、ＰＣ鋼材の端部に定着具を取り付けて緊張定着して袖壁を柱に一体化接合し、ＰＣ鋼材とシースとの隙間にグラウトを注入して硬化させるという一連の作業を地組で完成した後に、一体化された袖壁付き柱を吊り上げて、先に構築された柱頭及び梁の上端（トップコンクリート上面）に設置し、袖壁と梁とを接合せず柱同士のみをＰＣ鋼材で連接することを特徴とする袖壁と柱と梁との接合方法を提供するものである。
【００１８】
前記第２の発明において、袖壁の平面配置において、地組で柱の２方向側面ともに袖壁を配置して一体化した状態で吊り上げて設置すること、を付加的要件として含むものである。
【発明の効果】
【００１９】
１．プレキャストコンクリート部材とする袖壁と柱を水平方向のＰＣ鋼材のみで接合することで、袖壁と柱とは強固に接合され、制振ダンパーの役割を兼用できる袖壁付きＰＣ柱が容易かつ確実に形成される。
２．水平方向のＰＣ鋼材のみで接合することで、建て込みには無理なく施工が簡単で工期が大幅に短縮することができる。
３．  袖壁の平面配置においては、柱の（Ｘ、Ｙ）２方向側面に拘束条件なく自由自在に配置計画することができる。
４．柱の側面に配置される袖壁を上下梁と接合しないことによって、鉛直荷重による軸力及び曲げ応力を受けず、柱の水平剛性を大幅に増加し、柱の水平変形を抑制し、ＰＣ柱と鉄骨梁とで構成された複合ラーメン構造における制振効果を顕著に得られると共に、袖壁の壁厚が小さくすることができる。
また、柱が鉛直荷重を支えるものとして、水平荷重に対して袖壁が柱と共同作用で抵抗させることができるため、柱の断面大きさが主に鉛直荷重によって定めて小さくすることができる。
５．本発明の接合方法によれば、プレキャスト袖壁とプレキャスト柱を一体化する一連の作業は、全て地組で完成させ、高所作業を大幅に削減することができる。
また、袖壁を上下梁と接合しないことによって、袖壁の取付作業は全て地組で完成することが可能になり、現場作業の省力化を実現することができる。
【図面の簡単な説明】
【００２０】
【図１】本発明に係る第１の実施の形態における袖壁を用いるラーメン構造の要部を略示的に示した縦断面図である。
【図２】図１のＡ―Ａ線に沿う断面図である。
【図３】図１のＢ―Ｂ線に沿う断面図である。
【図４】同実施の形態に係るラーメン構造の建造物における特定階の柱と袖壁と梁との配置関係を略示的に示した平面図（設計図）である。
【図５】前記第１の実施の形態における他の実施例の要部を略示的に示した縦断面図である。
【図６】本発明の第２の実施の形態における柱と袖壁との接合方法に係る状況を示した説明図である。
【図７】同実施の形態に係る接合方法において、図（ａ）は接合途中のＰＣ鋼棒を挿通した状態を略示的に示した縦断面図、図（ｂ）は図（ａ）のＣ―Ｃ線に沿う断面図である。
【図８】同実施の形態に係る接合方法において、図（ａ）は接合途中の挿通したＰＣ鋼棒の端部を定着具で緊張定着した状態を略示的に示した縦断面図、図（ｂ）は図（ａ）のＤ―Ｄ線に沿う断面図である。
【図９】同実施の形態に係る接合方法において、図（ａ）は接合が完了した状態を略示的に示した縦断面図、図（ｂ）は図（ａ）のＥ―Ｅ線に沿う断面図である。
【図１０】同実施の形態に係る接合方法において、柱と袖壁との接合が完了した袖壁付き柱をクレーンで吊り下げて先に建て込んだ柱の上に建て込む状況を示した説明図である。
【図１１】同実施の形態に係る接合方法において、柱と袖壁との接合が完了した袖壁付き柱を先に建て込んだ柱とＰＣ鋼棒で緊張定着して連結した状況を示した説明図である。
【図１２】同実施の形態に係る接合方法において、柱と袖壁との接合が完了した袖壁付き柱を建て込んだ後に、該柱の顎部に梁を載置した状況を示した説明図である。
【図１３】同実施の形態に係る接合方法において、建て込んだ袖壁付き柱の顎部に載置した梁をＰＣ鋼棒で柱と連結した状況を示した説明図である。
【発明を実施するための形態】
【００２１】
本発明を図示の実施の形態に基づいて詳しく説明する。まず、第１の実施の形態について図１〜図４を用いて説明する。
図１は、実施の形態に係る基本的な構成を示すものである。ＰＣ柱１と鉄骨梁２とで形成される複合ラーメン構造であって、ＰＣ柱１は顎３付きでプレキャストコンクリート製とし、各階ごとにＰＣ鋼材（以下、実施例の説明ではＰＣ鋼棒という）４で緊張定着して接合される。ＰＣ柱１の顎３に鉄骨梁２の端部を設置して柱梁接合部とし、鉄骨梁２の端部には予めエンドプレート５と定着プレート６とが設けられており、前記柱梁接合部にシース１０ａ、１０ｂを介して複数のＰＣ鋼棒７をそれぞれ貫通して定着プレート６に定着具８を用いて緊張定着して接合され、定着プレート６とエンドプレート５との間に充填材９、例えば、コンクリートまたは無収縮モルタルを用いて充填することが望ましい。なお、上下の柱連結部、柱梁接合部及び後述する袖壁には、ＰＣ鋼材またはＰＣ鋼棒を挿通する部位にはそれぞれシース１０ａ、１０ｂ、１０ｃが予め取り付けられていると共に、ＰＣ柱１と鉄骨梁２のエンドプレート５との間には目地モルタル１４ａが設けられている。
【００２２】
袖壁１１は、ＰＣ柱１と同様にプレキャストコンクリート製で、予め一次ケーブル１２としてＰＣストランドを配設してプレテンション方式でプレストレスを付与することが好ましい。本願ではプレテンションストランドという。
【００２３】
このように形成された袖壁１１は、上下の鉄骨梁２間におけるＰＣ柱１の側面に配置され、上下の鉄骨梁２と接合させず、水平方向にシース１０ａ、１０ｃを介してＰＣ鋼棒１３をＰＣ柱１と袖壁１１とを貫通して配置し、該ＰＣ鋼棒１３の両端を定着具１５にて緊張定着して袖壁１１とＰＣ柱１とが一体化される。図示の実施例では、上下２階分を例示階とし、上の階はＰＣ柱１の両側に袖壁１１が付く例とし、下の階はＰＣ柱１の片側に袖壁１１が付く例を示すものである。
【００２４】
両側に袖壁１１が付く例において、図２に示すように、袖壁１１とＰＣ柱１との間にそれぞれ目地モルタル１４ｂが設けられて、水平方向にシース１０ａ、１０ｃを介してシース１０ａ、１０ｃを介してＰＣ鋼棒１３をＰＣ柱１を貫通して両側の袖壁１１の外側端面で定着具１５を用いて緊張定着して一体化される。片側に袖壁１１が付く例においても、図３に示すように、ＰＣ柱１と袖壁１１との間に目地モルタル１４ｂが設けられ、ＰＣ鋼棒１３は一方の端部が袖壁１１の外側端面に、他方の端部がＰＣ柱１の側面においてそれぞれ定着具１５により一体的に緊張定着するのである。なお、図１における符号１６はＰＣ鋼棒４を接続するカプラーであり、１７は合成梁の上端とするトップコンクリート（床スラブ含む）である。
【００２５】
前記した袖壁１１付きのＰＣ柱を用いて構築される建造物の１つの階における平面配置を示した図４について説明する。
ＰＣ柱１と鉄骨梁２とで形成される複合ラーメン構造で構築される建造物１８において、所定箇所に所要の水平剛性に合わせて、ＰＣ柱１の片側、両側乃至四側面等に選択的に袖壁１１を配置することが可能であり、柱の側面の一方向しか袖壁を配置できない従来技術（特許文献２の図５）に比べて、設置場所の制約を受けないばかりでなく、構造全体のバランスや耐震性等を考慮して、合理的に且つ自由に平面配置設計が可能になるのである。なお、建造物１８における中央部の空間部分１９は、例えば、吹き抜けやエレベータ、階段等の設置スペース、要するに、柱、梁そしてスラブを配置しない大空間として設けられて利用されるものである。
【００２６】
前記実施の形態に係る他の実施例について、図５を用いて説明する。
この実施例は、鉄骨梁に代えてプレキャストコンクリート梁（以下ＰＣ梁という）２０を使用した例を示すもので、他の構成部分については実質的に同一であり、それらの説明については重複するので、同一符号を付してその詳細な説明は省略する。
即ち、袖壁１１を取り付けたＰＣ柱１の顎３にＰＣ梁２０の端部を載置し、該ＰＣ梁２０内に配設したシース１０ｄを介して挿通したＰＣ鋼材による二次ケーブル２１でＰＣ圧着接合してＰＣ柱１とＰＣ梁２０を一体化した構造である。なお、ＰＣ柱１とＰＣ梁２０の端部との間には目地モルタル１４ａが設けられている。
【００２７】
次に、第２の発明に係る建造物における袖壁と柱梁との接合方法について図６〜図１２を用いて説明する。
まず、工場で、それぞれプレキャストコンクリート部材として予めＰＣ鋼材とするＰＣ鋼棒が挿通されシース１０ａ、１０ｃが内部に配設されて形成されたＰＣ柱１と袖壁１１とをまとめて建築現場に搬入して所要の場所にストックし、図６に示すように、地面２２に所要広さの鉄板２３を敷設してプレキャスト部材、即ち、ＰＣ柱１と袖壁１１とを組み立てる場所（地組する場所）を用意する。そして、設計図に基づいて設置されるべきＰＣ柱１をストックした所からクレーンで吊り上げて地組場所へ搬送し、鉄板２３上の略中央部に立設して仮止めして（仮止め金具は図示省略）セットする。
【００２８】
次に、そのＰＣ柱１に取り付けられる袖壁１１をストック場所からクレーンにより吊り上げて地組場所まで搬送し、ＰＣ柱１の側面にセットする。この場合に、例えば、１枚乃至４枚の袖壁１１を取り付ける必要があれば、順次１枚ずつ吊り上げて搬送し、ＰＣ柱１の側面にセットして取り付けるようにする。なお、図示の実施例では、ＰＣ柱１（Ｘ、Ｙ）２方向側面に対して３枚の袖壁１１を取り付ける例を示したものである。
【００２９】
ＰＣ柱１の側面にセットした袖壁１１に対して、図７（ａ）（ｂ）に示したように、袖壁１１とＰＣ柱１との水平方向のシース１０ａ、１０ｃにＰＣ鋼棒１３を挿通し、ＰＣ柱１と袖壁１１との間に目地モルタル１４ｂを注入して硬化させ、その後、図８（ａ）（ｂ）に示したように、ＰＣ鋼棒１３の両端部において、定着具１５を取り付けて、各ＰＣ鋼棒１３を緊張定着することによりＰＣ柱１に袖壁１１が一体化接合され、さらに、図９（ａ）（ｂ）に示したように、シース１０ａ、１０ｃとＰＣ鋼棒１３との間の隙間にグラウト２５を注入して硬化させる。
【００３０】
このように一体化された袖壁１１付きＰＣ柱１は、図１０に示したように、設計図に基づく所定の階（袖壁を配置する特定階）までクレーンで吊り上げて、例えば、先に設置して立ち上がり、その上に鉄骨梁２が架け渡されて一応のフロアーができているＰＣ柱１の頭部と鉄骨梁２の上部に敷設したトップコンクリート１７（床スラブを含む）の上に吊り下ろして設置する。この場合に、図１１に示したように、ＰＣ柱１に埋設された縦方向のシース１０ａにＰＣ鋼棒４を挿入し、その下端を先に設置された下のＰＣ柱１に先に緊張定着してあるＰＣ鋼棒４の上端部とカプラー１６を介して一連に接続し、下部ＰＣ柱１と同じようにＰＣ鋼棒４の上端に定着具１５を装着して緊張定着して載置した上部のＰＣ柱１を自立させる。
【００３１】
続いて、図１２に示したように、自立させたＰＣ柱１の顎３に鉄骨梁２を載せ、該鉄骨梁２の端部には、前記第１の実施の形態で説明したように予めエンドプレート５と定着プレート６とが設けられると共にシース１０ｂが設けられている。そして、顎３に載置された鉄骨梁２に対して、図１３に示したように、シース１０ａ、１０ｂを介して複数のＰＣ鋼棒７をそれぞれ貫通して定着プレート６において定着具８を用いて緊張定着して接合され、定着プレート６とエンドプレート５との間に、例えば、コンクリートまたは無収縮モルタル等の充填材９を充填すると共に、エンドプレート５とＰＣ柱１面との間に目地モルタル１４ａを充填する。ついでに袖壁１１の上下端と鉄骨梁２との間に目地モルタル１４ｃを同時に充填する。ただし、この部分については後で充填することもできる。
その後に、鉄骨梁２の上部にトップコンクリート１７（スラブ含む）を打設してスラブを形成する。
【００３２】
以後、ＰＣ柱１に袖壁１１を配置する上方階の特定階において、上記の図６〜図１３で説明した手順で作業を繰り返して高層のラーメン構造の建造物を構築する。
また、ＰＣ柱１に袖壁１１を配置しない一般階において、従来通りに先に立設された柱の上に次の柱を設置し、ＰＣ鋼棒４をカプラー１６で接続して緊張定着して接合する。
本発明の構築方法の特徴としては、上記の図６〜図９で説明した手順で、要するにプレキャスト袖壁１１とプレキャスト柱１とを一体化する一連の作業は、全て建築現場の地上で地組して完成させ、高所作業を大幅に削減したところにある。
また平面おいては、ＰＣ柱１の２方向に拘束条件はなく地組で袖壁１１を適宜配置することができ、従来の現場打ちで構築することを必要としない。さらに、袖壁１１を上下梁と接合しないことによって、袖壁１１の取付作業は全て建築現場における地組で完成することが可能になり、現場作業の省力化を実現することができる。
【００３３】
さらに、基礎について、図示を省略したが、免震構造とする場合は、免震装置を介して下部基礎と上部基礎を設け、柱を上部基礎に立設して構築する。耐震構造とする場合は、柱を直接に基礎コンクリートに立設して構築する。
【産業上の利用可能性】
【００３４】
本発明の第１発明に係るラーメン構造は、袖壁付き柱と梁とで形成されるラーメン構造であって、前記袖壁と柱は、それぞれプレキャストコンクリート部材とし、袖壁が上下の梁間の柱の側面に配置され、該袖壁の鉛直方向において上下の梁と接合せず、水平方向においてＰＣ鋼材を柱に貫通させて配置し、該ＰＣ鋼材が緊張定着され前記袖壁と柱とが一体化されることを特徴とするものであり、また、第２の発明に係る袖壁と柱と梁との接合方法は、袖壁付き柱と梁とで形成されるラーメン構造における袖壁と柱梁との接合方法であって、袖壁と柱をそれぞれプレキャストコンクリート部材とし、予めＰＣ鋼材を挿入する用のシースを配置してあるプレキャスト柱部材を地面に仮建てし、ＰＣ鋼材を挿入する用のシースを配置してあるプレキャスト袖壁部材を柱の側面に吊り込んで設置し、シースにＰＣ鋼材を柱に貫通して袖壁に配置し、袖壁と柱との間に設けられている目地にモルタルを注入し硬化させ、ＰＣ鋼材の端部に定着具を取り付けて緊張定着して袖壁を柱に一体化接合し、ＰＣ鋼材とシースとの隙間にグラウトを注入して硬化させるという一連の作業を地組で完成した後に、一体化された袖壁付き柱を吊り上げて、先に構築された柱頭及び梁の上端（トップコンクリート上面）に設置し、袖壁と梁とを接合せず柱同士のみをＰＣ鋼材で連接することを特徴とするものであり、プレキャストコンクリート部材とする袖壁と柱を水平方向のＰＣ鋼材のみで接合することで、袖壁と柱とは強固に接合され、制振ダンパーの役割を兼用できる袖壁付きＰＣ柱が容易かつ確実に形成されるので、建て込みには無理なく施工が簡単で工期が大幅に短縮することができるばかりでなく、柱の側面に配置される袖壁を上下梁と接合しないことによって、鉛直荷重による軸力及び曲げ応力を受けず、柱の水平剛性を大幅に増加し、柱の水平変形を抑制し、ＰＣ柱と鉄骨梁とで構成された複合ラーメン構造における制振効果を顕著に得られると共に、袖壁の壁厚が小さくすることができ、さらに、柱と袖壁と接合方法によれば、プレキャスト袖壁とプレキャスト柱を一体化する一連の作業は、全て地組で完成させ、高所作業を大幅に削減することができるばかりでなく、袖壁を上下梁と接合しないことによって、袖壁の取付作業は全て地組で完成することが可能になり、現場作業の省力化を実現することができるので、建築業界において広い範囲で使用可能である。
【符号の説明】
【００３５】
１  ＰＣ柱
２  鉄骨梁
３  顎
４，７、１３  ＰＣ鋼棒（ＰＣ鋼材）  
５  エンドプレート
６  定着プレート
８、１５  定着具
９  充填材
１０ａ、１０ｂ、１０ｃ、１０ｄ  シース
１１  袖壁
１２  一次ケーブル
１４ａ、１４ｂ、１４ｃ  目地モルタル
１６  カプラー
１７  トップコンクリート
１８  建造物
１９  空間部分
２０  ＰＣ梁
２１  二次ケーブル
２２  地面
２３  鉄板
２５  グラウト
【図１】
2019078056.tif 000003
【図２】
2019078056.tif 000004
【図３】
2019078056.tif 000005
【図４】
2019078056.tif 000006
【図５】
2019078056.tif 000007
【図６】
2019078056.tif 000008
【図７】
2019078056.tif 000009
【図８】
2019078056.tif 000010
【図９】
2019078056.tif 000011
【図１０】
2019078056.tif 000012
【図１１】
2019078056.tif 000013
【図１２】
2019078056.tif 000014
【図１３】
2019078056.tif 000015
【手続補正書】
【提出日】平成30年3月23日(2018.3.23)
【手続補正１】
【補正対象書類名】明細書
【補正対象項目名】００１８
【補正方法】変更
【補正の内容】
【００１８】
前記第２の発明に関して、袖壁の平面配置において、地組で柱の２方向側面ともに袖壁を配置して一体化した状態で吊り上げて設置すること、を付加的要件として含むものである。
【手続補正２】
【補正対象書類名】特許請求の範囲
【補正対象項目名】全文
【補正方法】変更
【補正の内容】
【特許請求の範囲】
【請求項１】
袖壁付き柱と梁とで形成されるラーメン構造であって、
前記袖壁と柱は、それぞれプレキャストコンクリート部材とし、袖壁が上下の梁間の柱の側面に配置され、該袖壁の鉛直方向において上下の梁と接合せず、水平方向においてＰＣ鋼材を柱に貫通させて配置し、該ＰＣ鋼材が緊張定着され前記袖壁と柱とが一体化されることを特徴とする袖壁を用いるラーメン構造。
【請求項２】
前記袖壁の平面配置において、柱の２方向側面ともに配置されることを特徴とする請求項１に記載の袖壁を用いるラーメン構造。
【請求項３】
前記梁は、鉄骨造とすることを特徴とする請求項１乃至２に記載の袖壁を用いるラーメン構造。
【請求項４】
袖壁付き柱と梁とで形成されるラーメン構造における袖壁と柱と梁との接合方法であって、
袖壁と柱をそれぞれプレキャストコンクリート部材とし、予めＰＣ鋼材を挿入する用のシースを配置してあるプレキャスト柱部材を地面に仮建てし、ＰＣ鋼材を挿入する用のシースを配置してあるプレキャスト袖壁部材を柱の側面に吊り込んで設置し、シースにＰＣ鋼材を柱に貫通して袖壁に配置し、袖壁と柱との間に設けられている目地にモルタルを注入し硬化させ、ＰＣ鋼材の端部に定着具を取り付けて緊張定着して袖壁を柱に一体化接合し、ＰＣ鋼材とシースとの隙間にグラウトを注入して硬化させるという一連の作業を地組で完成した後に、一体化された袖壁付き柱を吊り上げて、先に構築された柱頭及び梁の上端（トップコンクリート上面）に設置し、袖壁と梁とを接合せず柱同士のみをＰＣ鋼材で連接することを特徴とする袖壁と柱と梁との接合方法。
【請求項５】
前記袖壁の平面配置において、地組で柱の２方向側面ともに袖壁を配置して一体化した状態で吊り上げて設置することを特徴とする請求項４に記載の袖壁と柱梁との接合方法。